(57)【要約】【課題】省エネ処理の効果がどの程度あるのかわかり難かった。【解決手段】  映像表示を行う際の電力消費を通常設定とした場合よりも抑制する省電力設定を備え、同省電力設定にて所定の映像信号に基づいて映像表示を実行可能である映像表示装置において、電力消費の抑制度合いを異ならせた複数の省電力設定に対応した各抑制度合いを画像表示面上において表示する電力設定表示手段と、いずれかの省電力設定を選択する選択信号を入力する選択信号入力手段と、上記入力された選択信号が選択する省電力設定に応じた電力消費となるように電力消費を抑制して映像表示を実行する省電力処理手段とを備える構成とする。【選択図】  図４
2006174047.tif 000002
【特許請求の範囲】
【請求項１】
映像表示を行う際の電力消費を通常設定とした場合よりも抑制する省電力設定を備え、同省電力設定にて所定の映像信号に基づいて映像表示を実行可能であるテレビジョンにおいて、
電力消費の抑制度合いを異ならせた複数の省電力設定に対応した各抑制度合いを数字で示すＯＳＤ画面を画像表示面上に表示するＯＳＤ表示手段と、
いずれかの省電力設定を選択する選択信号を入力する選択信号入力手段と、
画像表示面の輝度変化に応じて変化するＡＣＬ電圧値を取得し、同ＡＣＬ電圧値が所定のしきい値を超える場合には映像信号の振幅が所定範囲内に収まるように映像信号の利得を抑制するＡＣＬ制御を実行可能であり、電力消費の抑制度合いが高い省電力設定に対応する値ほど低くなるように規定した各省電力設定に対応する複数のしきい値を有するとともに、上記入力された選択信号にかかる省電力設定に対応するしきい値を用いて上記ＡＣＬ電圧と比較するＡＣＬ制御手段と、
画像表示面に照射される電子ビームの走査速度を変調することにより映像の輪郭を強調する高画質化処理を実行可能であり、上記入力された選択信号が電力消費の抑制度合いが所定の抑制度合いより高い省電力設定を選択するものである場合には同高画質化処理を中止する高画質処理制御手段とを備えることを特徴とするテレビジョン。
【請求項２】
映像表示を行う際の電力消費を通常設定とした場合よりも抑制する省電力設定を備え、同省電力設定にて所定の映像信号に基づいて映像表示を実行可能である映像表示装置において、
電力消費の抑制度合いを異ならせた複数の省電力設定に対応した各抑制度合いを画像表示面上において表示する電力設定表示手段と、
いずれかの省電力設定を選択する選択信号を入力する選択信号入力手段と、
上記入力された選択信号が選択する省電力設定に応じた電力消費となるように電力消費を抑制して映像表示を実行する省電力処理手段とを備えることを特徴とする映像表示装置。
【請求項３】
上記電力設定表示手段は、複数の省電力設定に対応した各抑制度合いを数字で示すＯＳＤ画面を表示することを特徴とする請求項２に記載の映像表示装置。
【請求項４】
上記省電力処理手段は、映像の輝度が所定の上限を越えないように映像信号の利得を抑制する処理と、映像の画質を向上させる高画質化機能を不能とする処理との何れか一方を実行し、あるいは両処理を組合わせることにより、上記選択信号が選択する省電力設定に応じた電力消費の抑制を行うことを特徴とする請求項２または請求項３のいずれかに記載の映像表示装置。
【請求項５】
上記省電力処理手段は、画像表示面の輝度変化に応じて変化するＡＣＬ電圧値を取得し、同ＡＣＬ電圧値が所定のしきい値を超える場合には映像信号の振幅が所定範囲内に収まるように映像信号の利得を抑制するＡＣＬ制御を実行可能であり、電力消費の抑制度合いが高い省電力設定に対応する値ほど低くなるように規定した各省電力設定に対応する複数のしきい値を有し、上記選択信号にかかる省電力設定に対応するしきい値を用いてＡＣＬ制御の実施、不実施を分岐することにより電力消費を抑制することを特徴とする請求項４に記載の映像表示装置。
【請求項６】
上記省電力処理手段は、画像表示面に照射される電子ビームの走査速度を変調することにより映像の輪郭を強調する高画質化機能を実行可能であり、上記選択信号が電力消費の抑制度合いが所定の抑制度合いより高い省電力設定を選択するものである場合には、同高画質化機能を不能として電力消費を抑制することを特徴とする請求項４または請求項５のいずれかに記載の映像表示装置。
【請求項７】
映像表示を行う際の電力消費を通常設定とした場合よりも抑制する省電力設定を備え、同省電力設定にて所定の映像信号に基づいて映像表示を行う映像表示方法において、
電力消費の抑制度合いを異ならせた複数の省電力設定に対応した各抑制度合いを画像表示面上において表示する電力設定表示工程と、
いずれかの省電力設定を選択する選択信号を入力する選択信号入力工程と、
映像の輝度が所定の上限を越えないように映像信号の利得を抑制する処理と、映像の画質を向上させる高画質化機能を不能とする処理との何れか一方を実行し、あるいは両処理を組合わせることにより、上記選択信号が選択する省電力設定に応じた電力消費となるように電力消費を抑制して映像表示を実行する省電力処理工程とを備えることを特徴とする映像表示方法。
【発明の詳細な説明】
【技術分野】
【０００１】
本発明は、消費する電力を通常よりも抑制する設定を持つテレビジョン、映像表示装置および映像表示方法に関する。
【背景技術】
【０００２】
従来技術として、第１モードと、消費される電力が第１モードよりも少ない第２モードから選択されるディスプレイモードを持ち、ユーザの選択により何れかにディスプレイモードにより画像表示を行う方法が知られている（例えば、特許文献１参照。）。
【０００３】
また、他の従来技術として、解像度の異なる映像入力信号に対して、各解像度毎に省電力モードの選択を可能にする表示装置が知られている（例えば、特許文献２参照。）。
【特許文献１】特開２００４‐４６１２５号公報
【特許文献２】特開平１１‐１４３４４３号公報
【発明の開示】
【発明が解決しようとする課題】
【０００４】
ユーザは、テレビジョンを視聴する際に消費電力を抑制する省エネモードを設定した場合、省エネモードを設定しない場合と比較してどの程度電力の消費が抑えられているのか知りたい場合がある。しかし、従来技術においては、省エネモードを設定することは可能であるものの、その設定によって実際にどの程度電力消費が抑えられているのかユーザにとっては不明であり、省電力設定の効果が解かり難いという課題があった。また、電力消費の程度と映像の画質とは密接に関係するものであるが、ユーザが映像画質と同映像の視聴に際して要する電気的コストの明確な関係を考慮して省エネモードを設定することもできなかった。
【０００５】
本発明は上記課題に鑑みてなされたもので、視聴の快適性と電力消費とのバランスを考慮して、視聴に際して最適な省電力設定を選択可能なテレビジョン、映像表示装置および映像表示方法を提供することを目的とする。
【課題を解決するための手段】
【０００６】
上記目的を達成するために請求項２の発明は、映像表示を行う際の電力消費を通常設定とした場合よりも抑制する省電力設定を備え、同省電力設定にて所定の映像信号に基づいて映像表示を実行可能である映像表示装置において、電力消費の抑制度合いを異ならせた複数の省電力設定に対応した各抑制度合いを画像表示面上において表示する電力設定表示手段と、いずれかの省電力設定を選択する選択信号を入力する選択信号入力手段と、上記入力された選択信号が選択する省電力設定に応じた電力消費となるように電力消費を抑制して映像表示を実行する省電力処理手段とを備える構成としてある。
【０００７】
上記のように構成した請求項２においては、電力設定表示手段が、電力消費の抑制度合いを異ならせた複数の省電力設定に対応した各抑制度合いを画像表示面上において表示する。ユーザは、かかる表示を見ることで、複数の省電力設定の中からそのときの視聴に際して電力消費の抑制度合いが最も最適であると考えられる一つの設定を選択可能となる。選択信号入力手段は、ユーザの所定の操作に基づいて、いずれかの省電力設定を選択する選択信号を入力する。そして、省電力処理手段が、入力された選択信号が選択する省電力設定に応じた電力消費となるように電力消費を抑制した状態で映像表示を実行する。
このように本発明によれば、ユーザは複数ある省電力設定の中から好みの電力消費の抑制度合いとなっている設定を選択することができる。その結果、選択された省電力設定に応じた電力消費となるように映像表示が行われるため、ユーザは電力のコストダウンがどの程度実現されているのかを明確に認識して映像を視聴することができる。
【０００８】
請求項３の発明は、請求項２に記載の映像表示装置において、上記電力設定表示手段は、複数の省電力設定に対応した各抑制度合いを数字で示すＯＳＤ画面を表示する構成としてある。
つまり、映像表示装置は、ＯＳＤ（オンスクリーンディスプレイ）機能を備え、同機能によって、画像表示面上に複数の省電力設定に対応した各抑制度合いを数字で示すＯＳＤ画面を表示する。ここでいう各抑制度合いを示す数字としては、通常の設定での消費電力を１００パーセントとした場合、８０パーセント、６０パーセントなどと表示することが考えられる。このように各抑制度合いを数字によって明示することで、ユーザは、省エネ効果を高いあるいは低いといったような曖昧な感覚ではなく明確に認識することができる。
【０００９】
請求項４の発明は、請求項２または請求項３のいずれかに記載の映像表示装置において、上記省電力処理手段は、映像の輝度が所定の上限を越えないように映像信号の利得を抑制する処理と、映像の画質を向上させる高画質化機能を不能とする処理との何れか一方を実行し、あるいは両処理を組合わせることにより、上記選択信号が選択する省電力設定に応じた電力消費の抑制を行う構成としてある。
【００１０】
電力消費を抑制する手法の例としては、映像の輝度が所定の上限を越えないように映像信号の利得を抑制する処理と、映像の画質を向上させる高画質化機能を不能とする処理とが考えられる。つまり、映像の輝度が所定の上限を越えないように映像信号の利得を抑制すればそれだけ消費電力を抑えられるし、映像の画質を向上させる高画質化機能を不能とすれば同機能を実行させた場合よりも消費電力を抑えられる。そこで、省電力処理手段は、両処理の何れか一方を実行し、あるいは両処理を組合わせることにより選択された省電力設定に応じた電力消費の抑制を行う。上記の両処理は、実行すればいずれも画質を低下させてしまうが、ユーザは希望する電力コストと許容できる画質とのバランスを考慮して最適な省電力設定を選択することができる。
【００１１】
請求項５の発明は、請求項４に記載の映像表示装置において、上記省電力処理手段は、画像表示面の輝度変化に応じて変化するＡＣＬ電圧値を取得し、同ＡＣＬ電圧値が所定のしきい値を超える場合には映像信号の振幅が所定範囲内に収まるように映像信号の利得を抑制するＡＣＬ制御を実行可能であり、電力消費の抑制度合いが高い省電力設定に対応する値ほど低くなるように規定した各省電力設定に対応する複数のしきい値を有し、上記選択信号にかかる省電力設定に対応するしきい値を用いてＡＣＬ制御の実施、不実施を分岐することにより電力消費を抑制する構成としてある。
【００１２】
映像の輝度が所定の上限を越えないように映像信号の利得を抑制する処理を、請求項５では、画像表示面の輝度変化に応じて変化するＡＣＬ電圧値が所定のしきい値を超える場合には映像信号の振幅が所定範囲内に収まるように映像信号の利得を抑制するＡＣＬ制御により実現する。この場合、省電力処理手段は、電力消費の抑制度合いが高い省電力設定に対応する値ほど低くなるように規定した複数のしきい値を予め有しており、選択信号が入力されたら、同選択信号にかかる省電力設定に対応するしきい値を読み出し、読み出したしきい値とＡＣＬ電圧とを比較してＡＣＬ制御の実施不実施を分岐する。その結果、電力消費の抑制度合いが高い省電力設定が選択された場合ほど、画像表示面の輝度が低い段階から映像信号の利得が抑制されるため、省電力設定のレベルに応じて的確に電力消費を抑えられる。
【００１３】
請求項６の発明は、請求項４または請求項５のいずれかに記載の映像表示装置において、上記省電力処理手段は、画像表示面に照射される電子ビームの走査速度を変調することにより映像の輪郭を強調する高画質化機能を実行可能であり、上記選択信号が電力消費の抑制度合いが所定の抑制度合いより高い省電力設定を選択するものである場合には、同高画質化機能を不能として電力消費を抑制する構成としてある。
【００１４】
映像の画質を向上させる高画質化機能としては、画像表示面に照射される電子ビームの走査速度を変調することにより映像の輪郭を強調する高画質化機能が一例として考えられる。そして、入力された選択信号が電力消費の抑制度合いが所定の抑制度合いより高い省電力設定を選択している場合に、当該高画質化機能を不能とする。この結果、画質は低下するものの高画質機能を機能させない分、電力消費を抑えることができる。
【００１５】
これまでは、本発明にかかる技術的思想を装置の発明として説明したが、当該技術的思想はこれを実行するための方法としても把握できる。そこで、請求項７の発明は、映像表示を行う際の電力消費を通常設定とした場合よりも抑制する省電力設定を備え、同省電力設定にて所定の映像信号に基づいて映像表示を行う映像表示方法において、電力消費の抑制度合いを異ならせた複数の省電力設定に対応した各抑制度合いを画像表示面上において表示する電力設定表示工程と、いずれかの省電力設定を選択する選択信号を入力する選択信号入力工程と、映像の輝度が所定の上限を越えないように映像信号の利得を抑制する処理と、映像の画質を向上させる高画質化機能を不能とする処理との何れか一方を実行し、あるいは両処理を組合わせることにより、上記選択信号が選択する省電力設定に応じた電力消費となるように電力消費を抑制して映像表示を実行する省電力処理工程とを備える構成としてある。
つまり、方法の発明としても上記と同様の作用となり、有用な発明として成立する。
【００１６】
以上の構成を踏まえたうえで、請求項１の発明は、映像表示を行う際の電力消費を通常設定とした場合よりも抑制する省電力設定を備え、同省電力設定にて所定の映像信号に基づいて映像表示を実行可能であるテレビジョンにおいて、電力消費の抑制度合いを異ならせた複数の省電力設定に対応した各抑制度合いを数字で示すＯＳＤ画面を画像表示面上に表示するＯＳＤ表示手段と、いずれかの省電力設定を選択する選択信号を入力する選択信号入力手段と、画像表示面の輝度変化に応じて変化するＡＣＬ電圧値を取得し、同ＡＣＬ電圧値が所定のしきい値を超える場合には映像信号の振幅が所定範囲内に収まるように映像信号の利得を抑制するＡＣＬ制御を実行可能であり、電力消費の抑制度合いが高い省電力設定に対応する値ほど低くなるように規定した各省電力設定に対応する複数のしきい値を有するとともに、上記入力された選択信号にかかる省電力設定に対応するしきい値を用いて上記ＡＣＬ電圧と比較するＡＣＬ制御手段と、画像表示面に照射される電子ビームの走査速度を変調することにより映像の輪郭を強調する高画質化処理を実行可能であり、上記入力された選択信号が電力消費の抑制度合いが所定の抑制度合いより高い省電力設定を選択するものである場合には同高画質化処理を中止する高画質処理制御手段とを備える構成としてある。
このような、より具体的な構成において上述した請求項２〜請求項６の各発明と同様の作用を奏することは言うまでもない。
【発明の効果】
【００１７】
このように本発によれば、ユーザが希望する電力消費の抑制度合いの省電力設定を選択することにより、選択された省電力設定に対応する電力消費の抑制と画質による映像表示が実現される。所定の映像を視聴する際に、ユーザは自己が望む電力コストの低減と画質レベルとのバランスを容易に選択できる。また、各省電力設定における抑制度合いが画面上に明確に示されるため、どの程度の電気コストの低減が達成されるのかをユーザは明確に認識できる。
【発明を実施するための最良の形態】
【００１８】
（１）テレビジョンの概略構成
図１は、本発明の一実施形態にかかるテレビジョン１００の構成の概略ブロック図である。なお、利用者が使用する操作パネル、リモコン等は図示を省略している。
図において、テレビジョン１００は、放送受信装置として、概略、チューナＩＣ１０と、このチューナＩＣ１０に接続されたクロマＩＣ２０と、チューナＩＣ１０とクロマＩＣ２０に接続されたマイコン３０とを備えている。チューナＩＣ１０とクロマＩＣ２０とマイコン３０は、ＩＩＣバス９０に接続されている。マイコン３０においては、ＣＰＵ３１がＲＯＭ３２に記憶された所定のプログラムによる処理をＲＡＭ３３をワークエリアとして実行し、シリアルデータ通信によってテレビジョン１００全体を制御する。
【００１９】
チューナＩＣ１０は、周波数シンセサイザ方式のチューナであり、マイコン３０の制御によりテレビジョン放送の放送電波を受信し、中間周波信号（ＩＦ）に変換して出力する。同チューナＩＣ１０は、アンテナ１０ａ、マイコン３０に接続された高周波増幅回路、この高周波増幅回路とマイコン３０に接続された中間周波信号出力回路、等を備えている。中間周波信号出力回路は、マイコン３０に接続された局部発振回路と、この局部発振回路と高周波増幅回路に接続された混合回路とを備えている。なお、これらの回路は、従来から採用されている種々のテレビジョン用の回路を適用することができる。
【００２０】
高周波増幅回路は、バンドパスフィルタを有しており、マイコン３０の制御に基づいて、アンテナ１０ａからこのバンドパスフィルタを介して所望周波数に対応する放送電波を受信し、増幅して高周波信号を作成し、作成した高周波信号を混合回路に出力する。局部発振回路は、ＰＬＬ（Phase Locked Loop ）回路により構成されており、水晶発振回路からの基準発振信号を基準にして、ＰＬＬ回路により放送電波の所望周波数に対応する局部発振周波数の局部発振信号を作成して混合回路に出力する。混合回路は、高周波増幅回路からの出力と局部発振回路からの局部発振信号とを混合して中間周波信号に変換し、クロマＩＣ２０に出力する。
【００２１】
クロマＩＣ２０は、チューナＩＣ１０に接続された中間周波増幅（ＶＩＦ）回路と、マイコン３０に接続されたＶＣＯ（Voltage Controled Oscillator）回路、このＶＣＯ回路とＶＩＦ回路に接続された検波回路、この検波回路に接続されたＡＧＣ回路、同検波回路に接続された同期回路、等を備えている。なお、各回路は、従来から採用されている種々のテレビジョン用の回路を適用することができる。
【００２２】
ＶＩＦ回路は、チューナＩＣ１０から入力される中間周波信号を中間周波増幅し、中間周波増幅した中間周波信号を検波回路に出力する。ＶＣＯ回路は、マイコン３０から入力される電圧に応じて発振する発振信号の発振周波数を変更することが可能であり、同電圧に対応する発振周波数で発振信号を発振する。検波回路は、発振信号の発振周波数に基づいて、ＶＩＦ回路にて中間周波増幅された中間周波信号を検波して映像信号とＡＵＤＩＯ信号とを出力する。より具体的にいうと、検波回路は、中間周波増幅された中間周波信号から発振信号の発振周波数に同期しながら映像検波を行い映像信号を分離する。さらに、同映像信号に含まれる輝度信号（Ｙ信号）と搬送色信号（Ｃ信号）と水平・垂直同期信号（ＳＹＮＣ）等をそれぞれ分離する。分離された搬送色信号に所定の色復調処理を施してＲＧＢ信号を分離し、外部に出力する。また、音声の信号については、中間周波増幅された中間周波信号のうち音声成分と発振信号とを混合して第二音声中間周波信号を作成し、ＦＭ検波を行ってＡＵＤＩＯ信号とし、外部に出力する。
【００２３】
検波回路から出力されたＲＧＢ信号はカソードアンプ５０に出力され、このカソードアンプ５０にて増幅されて受像管（ＣＲＴ）８０に供給される。すると、受像管８０は、増幅されたＲＧＢ信号に基づいて画面表示を行う。一方、上記ＡＵＤＩＯ信号については、図示しないオーディオアンプに出力され、このオーディオアンプで増幅されて図示しないスピーカに供給される。スピーカは、増幅されたＡＵＤＩＯ信号に基づいて音声を出力する。
【００２４】
同期回路は、入力される水平・垂直同期信号に基づいてのこぎり波状の水平・垂直ドライブ信号（ＤＲＩＶＥ）を作成し、水平偏向回路６０と垂直偏向回路７０に出力する。水平偏向回路６０と垂直偏向回路７０は、水平ドライブ信号と垂直ドライブ信号に対応した所定の水平ドライブ電流と垂直ドライブ電流を作成し、受像管８０に取り付けられた水平偏向コイル８０ａと垂直偏向コイル８０ｂにそれぞれ供給することにより、電子ビームを水平・垂直方向にドライブさせる。また、水平偏向回路６０で生じる高周波信号は、フライバックトランス（ＦＢＴ）６２に供給され、受像管８０のアノード電極に供給する高圧ＨＶが発生するようになっている。その結果、受像管８０ではＲＧＢ信号に応じた電子ビームがドライブされながら放出され、受像管８０の管面に画像が現れる。
【００２５】
ＡＣＬ（Auto Contrast Limit）回路６３においては、ＦＢＴ６２から受像管８０の管面の輝度に基づく電圧の変化をＡＣＬ電圧として取得しており、ＡＣＬ電圧はクロマＩＣ２０に入力される。クロマＩＣ２０では、所定のしきい値ＴｈとＡＣＬ電圧との比較結果に基づいて、受像管８０の管面の輝度が所定値を上回らないようカソードアンプ５０に出力するＲＧＢ信号の信号レベルを抑制している（以下、ＡＣＬ制御とも言う）。その結果、管面の輝度が過大となることが防止され、消費される電力も抑制される。
【００２６】
速度変調（ＶＭ）回路４０は、特許請求の範囲に記載した高画質化機能に対応する。
図２は、ＶＭ回路４０における処理の流れをブロック図などにより示している。ＶＭ回路４０は、微分回路４１と、ＶＭドライブ回路４２とＶＭコイル４３とからなる。まず、微分回路４１では、クロマＩＣ２０から映像信号に含まれる輝度信号Ｙを入力するとともに、輝度信号Ｙを１次微分してＶＭ変調信号を生成する。同図では、輝度信号Ｙを（ａ）に、ＶＭ変調信号を（ｂ）において例示している。次に、ＶＭドライブ回路４２では、上記ＶＭ変調信号に基づいてＶＭドライブ電流を生成し出力する。同図では、（ｃ）においてＶＭドライブ電流を例示している。
【００２７】
上記のように生成されたＶＭドライブ電流は、受像管８０における電子銃周辺の所定位置に備えられたＶＭコイル４３に供給される。その結果、同ＶＭドライブ電流により発生する磁界によって電子銃から放射される電子ビームの水平方向への動きが変化する。つまり、ＶＭドライブ電流をＶＭコイル４３に供給することにより、輝度信号の変化に合わせて、電子ビームの水平方向への走査速度が同図（ｄ）に示すように局所的に変移する。同図の場合、輝度がＹ１からＹ２へと変化する過程の前半において走査速度が上がり、後半において走査速度が下がるため、受像管８０上での輝度変化が急峻となる。その結果、映像の輪郭が強調され、より画質が向上する。なお、ＶＭ回路４０は、これが存在しなくともテレビジョン１００において放送信号に基づく映像表示は実現されるが、当該回路を併用することで映像が高画質化される。
【００２８】
マイコン３０は、ＯＳＤ回路３４とリモコンＩ／Ｆ３５をも内蔵している。ＯＳＤ回路３４は、映像信号に基づく映像に、他の文字やキャラクタなどの静止画像を重畳することが可能である。つまり、ＯＳＤ回路３４においては、ＯＳＤ表示を行うための所定のＯＳＤ表示信号を生成し、クロマＩＣ２０から入力した映像信号に同ＯＳＤ表示信号を重畳した上でクロマＩＣ２０に出力することができる。リモコンＩ／Ｆ３５では、外部機器としてのリモコン送信機から出力される赤外線明滅信号を入力可能になっている。この赤外線明滅信号はＣＰＵ３１に送出され、ＣＰＵ３１は対応する制御処理を実行する。
【００２９】
（２）省電力処理の説明
上述した構成によって、テレビジョン１００は受信した放送電波に基づく映像表示を行うが、ユーザとしては、映像表示の際に消費する電力を少なくする（省エネ）ことを望む場合がある。そこで、本実施形態では、電力消費の抑制度合いを異なるレベルで実現する複数の省エネモードを用意し、ユーザが何れかの省エネモードを自由に選択できるとした。
【００３０】
図３は、省エネモードを選択する際に表示する消費電力設定画面の一例を示している。ユーザは所定のリモコン操作によって、受像管８０に消費電力設定画面１１０を表示することを指示する信号を送出し、マイコン３０はリモコンＩ／Ｆ３５を介して同信号を受信する。そして、マイコン３０はＯＳＤ回路３４に対して所定の制御信号を出力する。ＯＳＤ回路３４は当該制御信号に基づいて、同図に示すような消費電力設定画面１１０を受像管８０に表示する処理を実行する。消費電力設定画面１１０を表示するための画像データは、予めＲＯＭ３２などに保存しておく。
【００３１】
このようにして表示される消費電力設定画面１１０には、映像表示の際に消費される電力の程度が各モード毎に数字によって明示されている。本実施形態では、通常モードと省エネモード１〜３とが存在し、省エネモード１，２，３となるに連れて（省エネモードのレベルが上がるに連れて）、電力消費の抑制度合いも高くなる。ここで、通常モードとは、テレビジョン１００で映像を視聴する際に消費される電力が最も多い設定状態であり、かかる通常モードがテレビジョン１００における初期設定となっている。そして、上記設定画面１１０では、通常モードにて消費される電力を１００パーセントとした場合に、各省エネモード１〜３にて消費される電力量を、８０，５０，３０パーセントのように夫々数字にて明示している。
ユーザは、上記設定画面１１０を見て所望の省エネモードを選択し、所定のリモコン操作によって、当該選択した省エネモードを指定する省エネモード選択信号を送出する。
【００３２】
図４は、選択された省エネモードに応じた省エネ処理を実行するためのフローチャートを示している。
ステップＳ（以下、ステップの記載を省略）２００において、マイコン３０は、リモコンＩ／Ｆ３５を介して上記省エネモード選択信号が入力されたか否か判断する。省エネモード選択信号が入力されたと判断した場合には、Ｓ２２０以下に進む。
【００３３】
Ｓ２２０では、マイコン３０は、ＡＣＬ電圧との比較に用いる上記しきい値Ｔｈであって、上記入力された省エネモード選択信号が指定する省エネモードに対応するしきい値Ｔｈを取得する。各省エネモード１〜３に対応するしきい値Ｔｈ１〜Ｔｈ３は、省エネモードのレベルが高いものほど小さい値となるように（Ｔｈ１＞Ｔｈ２＞Ｔｈ３）予め設定しておき、ＲＯＭ３２などに保存する。かかるしきい値Ｔｈ１〜Ｔｈ３の設定方法については後述する。マイコン３０は、省エネモード選択信号に基づいて、ＲＯＭ３２などから適宜いずれかのしきい値Ｔｈを読み出す。
【００３４】
Ｓ２４０では、上記読み出したしきい値Ｔｈと、ＡＣＬ回路６３から入力される上記ＡＣＬ電圧（所定期間内に取得したＡＣＬ電圧の平均値でもよい）とを比較するとともに、同比較結果に基づいてＡＣＬ制御を実行する。ここで、受像管８０に流れるアノード電流は、画面の輝度変化に応じて変化し、ＡＣＬ回路６３は、かかるアノード電流の変化をＦＢＴ６２から取得し、ＡＣＬ電圧は同変化に応じてその大きさが決定される。本実施形態では、ＡＣＬ電圧は、そのときの画面が明るい場合には大きな値となり、画面が暗い場合には小さな値となる。
一方、クロマＩＣ２０においては、ＡＣＬ電圧がしきい値Ｔｈより大きい場合には、映像信号（ＲＧＢ信号）に対する中間増幅段などでの増幅率を下げることにより、映像信号における最大輝度レベルが所定値を超えないように（コントラストが所定範囲内となるように）制御し、ＡＣＬ電圧がしきい値Ｔｈより小さい場合にはかかる制御は行わない。
【００３５】
従って、Ｓ２２０で読み出したしきい値Ｔｈが小さいほど、言い換えれば選択された省エネモードのレベルが高いほど、画面の輝度が高くない状態において映像信号の利得を抑制する処理が実行されることになり、画面の最大輝度レベルが通常モードのときよりも抑えられ、電力消費が抑制される。映像表示の際に消費する電力は、画面のが明るいほど多く消費されるため、かかる処理によって効果的に電力消費を抑制できる。
【００３６】
図５は、映像信号の最大輝度レベルを抑制した様子を、各モードの場合について簡略的に示している。
同図においては、横軸にはＡＣＬ電圧の大きさを示し、縦軸には上記ＡＣＬ制御を受けてカソードアンプ５０に入力される映像信号の最大輝度レベルを示している。なお、同図における、「０」の表示に対応するラインは上記通常モードを選択した場合に対応し、１〜３の表示に対応するラインは、夫々、省エネモード１〜３を選択した場合に対応している。つまり、ＡＣＬ電圧があるしきい値を超えない間は、カソードアンプ５０に入力される映像信号の最大レベルを抑制する処理は実行されないが、ＡＣＬ電圧があるしきい値を超えた場合は、同最大レベルが所定値を超えないように映像信号の利得を抑制する処理が実行される。その結果、カソードアンプ５０に入力される映像信号の最大輝度レベルは、ある値までは上昇するが、所定値（Ｖ０〜Ｖ３のいずれか）を超えることが防がれる。
そして、通常モードではなく省エネモード１〜３が選択されている場合は、最大レベルが所定値を超えないように映像信号の利得を抑制する処理が、ＡＣＬ電圧が低い段階から実行されるため、省エネモードのレベルが高いほど、同最大レベルも低い値以下に維持される。
【００３７】
本実施形態において実行可能な省エネ処理は、上記ＡＣＬ制御の実施条件の変更による手法に止まらない。
Ｓ２６０においては、マイコン３０は、省エネモード選択信号が指定する省エネモードのレベルが所定レベル以上であるか判断し、所定レベル以上である場合には“Ｙｅｓ”として、Ｓ２８０に進む。
Ｓ２８０においては、マイコン３０は、クロマＩＣ２０からＶＭ回路４０への輝度信号の出力をオフにし、ＶＭ回路４０を用いた上記の高画質化処理を行わないようにする。その結果、ＶＭ回路４０を用いた場合（オン）と比較して画質は低下するものの、消費される電力は少なくなるため、選択された省エネモードのレベルに合わせて電力消費を抑制できる。
【００３８】
一方、Ｓ２６０で、省エネモード選択信号が指定する省エネモードのレベルが所定レベルに満たない場合は、Ｓ２８０の処理を行わない。この場合、省エネ処理はＳ２４０における処理だけとなり、ＶＭ回路４０を用いた高画質化処理は通常どおり実行される。なお、クロマＩＣ２０とＶＭ回路４０との間に図示しないスイッチング回路を備えておき、マイコン３０はＳ２６０のでの判断に基づいて当該スイッチング回路をオフするようにしてもよい。
【００３９】
なお、ステップＳ２００において、いずれの省エネモード選択信号も入力されず、通常モードを指定する所定の選択信号が入力された場合は、Ｓ２２０〜Ｓ２８０の処理は行われない。この場合は、映像表示処理に際してテレビジョン１００は、ＶＭ回路４０による高画質化処理を実行するし、ＡＣＬ制御の実施、不実施の判断は、上記しきい値Ｔｈ１〜Ｔｈ３のいずれよりも大きい値であるＴｈ０とＡＣＬ電圧との比較に基づいて分岐することになる。
【００４０】
ここで、上記各しきい値Ｔｈ１〜Ｔｈ３や、高画質化処理のオン・オフを分岐する省エネモードのレベルは次のように決定することができる。
先ず、テレビジョン１００に、通常モード（高画質化処理オン、かつ、しきい値Ｔｈ０）において所定の試験用の映像信号に基づく映像表示を所定の時間実行させ、この間に消費される電力を測定する。
次に、しきい値と、高画質化処理のオン・オフについて様々な組合わせによって、上記試験用の映像信号に基づく映像表示を所定の時間実行させて電力を測定する処理を繰り返す。その結果、通常モードにおいて消費された電力を１００パーセントとした場合に、夫々８０，５０，３０（ただし、かかる数字の選択は任意である。）パーセントの消費電力となった場合の、しきい値と高画質化処理のオン・オフの組み合わせを取得する。
【００４１】
図６は、このようにして取得したしきい値と高画質化処理のオン・オフの組合わせの一例を示している。同図によれば、電力消費を８０パーセントとする省エネモード１においてはしきい値はＴｈ１となり、高画質化処理は実行される。また、電力消費を５０パーセントとする省エネモード２においてはしきい値はＴｈ２となり、高画質化処理は実行されず、電力消費を３０パーセントとする省エネモード３においてはしきい値はＴｈ３となり、高画質化処理は実行されない。ただし、電力消費の抑制度合いによっては、しきい値はＴｈ０のままで、高画質処理をオフとするのみの組合わせも考えられる。
【００４２】
（３）まとめ
このように本発明によれば、ＡＣＬ制御の実施条件であるしきい値を複数用意し、かつＶＭ回路４０をオン・オフすることにより、種々の省電力設定のレベルによって、映像を視聴する際に消費される電力を抑制することができる。また、ユーザは、消費電力設定画面１１０を見ることにより、各省エネモードによる省エネの効果を数字として明確に認識することができる。さらに、ユーザは、省エネの効果と視聴時に所望する画質レベルのバランスが最適となる省エネモードを選ぶことにより、視聴の快適性と電力的コストダウンとを両立できる。
【図面の簡単な説明】
【００４３】
【図１】本発明の一実施形態にかかるテレビジョンの概略構成図である。
【図２】ＶＭ回路の詳細を示したブロック図である。
【図３】消費電力設定画面を示した図である。
【図４】省エネ処理の処理内容を示したフローチャートである。
【図５】映像信号の最大輝度レベルの変化態様を示した図である。
【図６】各モードにおけるしきい値と高画質化処理のオン・オフの組合わせを示した図である。
【符号の説明】
【００４４】
１０…チューナＩＣ
２０…クロマＩＣ
３０…マイコン
３１…ＣＰＵ
３２…ＲＯＭ
３３…ＲＡＭ
３４…ＯＳＤ回路
３５…リモコンＩ／Ｆ
４０…ＶＭ回路
５０…カソードアンプ
６２…ＦＢＴ
６３…ＡＣＬ回路
８０…受像管
１００…テレビジョン
１１０…消費電力設定画面
【図１】
2006174047.tif 000003
【図２】
2006174047.tif 000004
【図３】
2006174047.tif 000005
【図４】
2006174047.tif 000006
【図５】
2006174047.tif 000007
【図６】
2006174047.tif 000008